(57)【要約】【課題】極めて効率的に共振周波数を調整することのできる共振周波数調整装置および共振周波数調整方法を提供すること。【解決手段】共振周波数調整装置は、振動系６０の共振周波数を測定する測定手段２と、可動板６１１の板面上に複数の液種の液滴を付与することができる液滴付与手段４と、測定手段２の測定結果に基づいて、可動板６１１の板面上における液滴の付与位置、当該付与位置に付与する液種および液滴数の組み合わせを求め、その条件で液滴の付与を実行するように液滴付与手段４を制御する制御手段３とを有し、可動板６１１の板面上に液滴を付与した後、それを硬化または固化させて、可動板６１１の回動中心軸Ｘ１まわりの慣性モーメントを増加させ、振動系６０の共振周波数を調整するように構成されている。【選択図】図１
2008203567.tif 000002
【特許請求の範囲】
【請求項１】
回動可能に支持された可動板を備える振動系の共振周波数を測定する測定手段と、
前記可動板の板面上に、樹脂材料を含む複数の液体のそれぞれの液滴を付与することのできる液滴付与手段と、
前記測定手段の測定結果に基づいて、前記可動板の板面上における前記液滴の付与位置、当該付与位置に付与する液種および液滴数の組み合わせを求め、その条件で前記液滴の付与を実行するように前記液滴付与手段を制御する制御手段とを有し、
前記測定手段の測定結果に基づいて前記液滴付与手段を作動させ、前記可動板の板面上に前記液滴を付与した後、それを硬化または固化させて、前記可動板の回動中心軸まわりの慣性モーメントを増加させ、前記振動系の共振周波数を調整するように構成されていることを特徴とする共振周波数調整装置。
【請求項２】
前記制御手段は、前記可動板の板面上における前記可動板の回動中心軸から遠位の部位を優先的に前記液滴の付与位置とするように構成されている請求項１に記載の共振周波数調整装置。
【請求項３】
前記制御手段は、前記可動板の重心を通り、かつ、前記回動中心軸に直交する線分に近い位置を優先的に前記液滴の付与位置とするように構成されている請求項２に記載の共振周波数調整装置。
【請求項４】
前記制御手段は、前記複数の液体のうち比重が重いものを優先的に付与するように構成されている請求項１ないし３のいずれかに記載の共振周波数調整装置。
【請求項５】
前記液滴の付与位置に付与することのできる液滴数には、上限値が定められている請求項１ないし４のいずれかに記載の共振周波数調整装置。
【請求項６】
前記可動板の一方の面には、光反射性を有する光反射部が設けられており、
前記制御部は、前記可動板の前記光反射部が設けられている面とは反対の面上にて、前記液滴を付与する付与部位を決定するように構成されている請求項１ないし５のいずれかに記載の共振周波数調整装置。
【請求項７】
前記可動板の一方の面には、光反射性を有する光反射部が設けられており、
前記制御部は、前記可動板の前記光反射部が設けられている面上にて、前記液滴の付与部位を決定するように構成されている請求項１ないし５のいずれかに記載の共振周波数調整装置。
【請求項８】
可動板の板面上に樹脂材料を含む液体の液滴を付与することで、回動可能に支持された前記可動板を備える振動系の共振周波数を調整する共振周波数調整方法であって、
前記振動系の共振周波数を測定する第１の工程と、
前記第１の工程の測定結果に基づいて、前記可動板の板面上における前記液滴の付与位置、当該付与位置に付与する液種および液滴数の組み合わせを求める第２の工程と、
前記第２の工程で求められた前記組み合わせに基づいて前記可動板の板面上に前記液滴を付与したのち、それを硬化または固化させる第３の工程とを含んでいることを特徴とする共振周波数調整方法。
【請求項９】
前記第２の工程では、前記可動板の板面上における前記可動板の回動中心軸から遠位の部位を優先的に前記液滴の付与位置とする請求項８に記載の共振周波数調整方法。
【請求項１０】
前記第２の工程では、前記可動板の重心を通り、かつ、前記回動中心軸に直交する線分に近い位置を優先的に前記液滴の付与位置とする請求項８または９に記載の共振周波数調整方法。
【請求項１１】
前記第２の工程では、前記複数の液体のうち比重が重いものを優先的に付与するように構成されている請求項８ないし１０のいずれかに記載の共振周波数調整方法。
【請求項１２】
前記液滴の付与位置に付与することのできる液滴数には、上限値が定められている請求項８ないし１１のいずれかに記載の共振周波数調整方法。
【発明の詳細な説明】
【技術分野】
【０００１】
本発明は、共振周波数調整装置および共振周波数調整方法に関するものである。
【背景技術】
【０００２】
例えば、プリンタ等にて光走査により描画を行うための光スキャナとして、捩り振動子で構成されたアクチュエータを用いたものが知られている。一般に、このような捩り振動子は、ミラー基板と、ミラー基板を支持するねじり梁とで構成されている。
このような捩り振動子においては、ミラー基板の回動中心軸まわりの慣性モーメントとねじり梁のバネ定数とで定まる共振周波数と等しい周波数で駆動させることで、ミラー基板の回動角を大きくすることができる。
【０００３】
一般には、このような捩り振動子は、シリコン基板をエッチングすることで、ミラー基板とねじり梁とを一体的に形成する。そのため、エッチングの精度などによっては、ミラー基板の回動中心軸まわりの慣性モーメントおよび／またはねじり梁のバネ定数が目的の値からずれてしまい、捩り振動子の実際の共振周波数が目的の共振周波数からずれてしまう場合がある。
そこで、このような共振周波数のズレを補正する方法として、ミラー基板の板面に樹脂などの質量片を付着させ、ミラー基板の回動中心軸まわりでの慣性モーメントを増加させることで、捩り振動子の共振周波数を目的の共振周波数に合わせ込む方法が開示されている（例えば、特許文献１参照）。
【０００４】
しかし、特許文献１では、１種類の樹脂をミラー基板の板面に付着させて、ミラー基板の回動中心軸まわりの慣性モーメントを増加させるように構成されている。そのため、例えば、この樹脂の比重が大きければ、ミラー基板の回動中心軸まわりの慣性モーメントの微調整が困難となり、反対に、この樹脂の比重が小さければ、ミラー基板の回動中心軸まわりの慣性モーメントを増加させるために大量の樹脂が必要となる。すなわち、特許文献１の方法では、ミラー基板の回動中心軸まわりの慣性モーメントを効率的に調整することができない。
【０００５】
【特許文献１】特開２００４−１９１９５３号公報
【発明の開示】
【発明が解決しようとする課題】
【０００６】
本発明の目的は、極めて効率的に共振周波数を調整することのできる共振周波数調整装置および共振周波数調整方法を提供することにある。
【課題を解決するための手段】
【０００７】
このような目的は、下記の本発明により達成される。
本発明の共振周波数調整装置は、回動可能に支持された可動板を備える振動系の共振周波数を測定する測定手段と、
前記可動板の板面上に、樹脂材料を含む複数の液体のそれぞれの液滴を付与することのできる液滴付与手段と、
前記測定手段の測定結果に基づいて、前記可動板の板面上における前記液滴の付与位置、当該付与位置に付与する液種および液滴数の組み合わせを求め、その条件で前記液滴の付与を実行するように前記液滴付与手段を制御する制御手段とを有し、
前記測定手段の測定結果に基づいて前記液滴付与手段を作動させ、前記可動板の板面上に前記液滴を付与した後、それを硬化または固化させて、前記可動板の回動中心軸まわりの慣性モーメントを増加させ、前記振動系の共振周波数を調整するように構成されていることを特徴とする。
これにより、極めて効率的にかつ正確に前記振動系の共振周波数を調整することができる共振周波数調整装置を提供することができる。
【０００８】
本発明の共振周波数調整装置では、前記制御手段は、前記可動板の板面上における前記可動板の回動中心軸から遠位の部位を優先的に前記液滴の付与位置とするように構成されていることが好ましい。
これにより、前記振動系の共振周波数を調整するために必要な液適数を少なくすることができ、極めて効率的に前記振動系の共振周波数を調整することができる。
【０００９】
本発明の共振周波数調整装置では、前記制御手段は、前記可動板の重心を通り、かつ、前記回動中心軸に直交する線分に近い位置を優先的に前記液滴の付与位置とするように構成されていることが好ましい。
これにより、前記可動板の平面視にて、前記可動板の重心を前記回動中心軸上のほぼ中央に保つことができる。その結果、極めて優れた回動特性を備える前記振動系を提供することができる。
【００１０】
本発明の共振周波数調整装置では、前記制御手段は、前記複数の液体のうち比重が重いものを優先的に付与するように構成されていることが好ましい。
このように、各付与部位における液滴数の上限値を定めることで、液滴の垂れ、にじみ等を防止することができ、極めて正確に振動系の共振周波数を調整することができる。
本発明の共振周波数調整装置では、前記液滴の付与位置に付与することのできる液滴数には、上限値が定められていることが好ましい。
これにより、前記振動系の共振周波数を調整するために必要な液滴数を少なくすることができ、極めて効率的に前記振動系の共振周波数を調整することができる。
【００１１】
本発明の共振周波数調整装置では、前記可動板の一方の面には、光反射性を有する光反射部が設けられており、
前記制御部は、前記可動板の前記光反射部が設けられている面とは反対の面上にて、前記液滴を付与する付与部位を決定するように構成されていることが好ましい。
これにより、前記可動板の前記光反射部が設けられていない側の板面の全域から、前記液滴の付与位置を決定することができるため、前記振動系の共振周波数を広い範囲にて、かつ、正確に調整することができる。また、前記可動板の小型化を図ることもできる。
【００１２】
本発明の共振周波数調整装置では、前記可動板の一方の面には、光反射性を有する光反射部が設けられており、
前記制御部は、前記可動板の前記光反射部が設けられている面上にて、前記液滴の付与部位を決定するように構成されていることが好ましい。
通常、前記可動板の前記光反射部が設けられた面は、光走査を行うために外部に露出している。そのため、前記可動板の光反射部が設けられた面に前記液滴を付与するように構成することで、極めて簡単に可動板の板面上に液滴を付与することができる。
【００１３】
本発明の共振周波数調整方法は、可動板の板面上に樹脂材料を含む液体の液滴を付与することで、回動可能に支持された前記可動板を備える振動系の共振周波数を調整する共振周波数調整方法であって、
前記振動系の共振周波数を測定する第１の工程と、
前記第１の工程の測定結果に基づいて、前記可動板の板面上における前記液滴の付与位置、当該付与位置に付与する液種および液滴数の組み合わせを求める第２の工程と、
前記第２の工程で求められた前記組み合わせに基づいて前記可動板の板面上に前記液滴を付与したのち、それを硬化または固化させる第３の工程とを含んでいることを特徴とする。
これにより、極めて効率的にかつ正確に前記振動系の共振周波数を調整することができる。
【００１４】
本発明の共振周波数調整方法では、前記第２の工程では、前記可動板の板面上における前記可動板の回動中心軸から遠位の部位を優先的に前記液滴の付与位置とすることが好ましい。
これにより、前記振動系の共振周波数を調整するために必要な液適数を少なくすることができ、極めて効率的に前記振動系の共振周波数を調整することができる。
【００１５】
本発明の共振周波数調整方法では、前記第２の工程では、前記可動板の重心を通り、かつ、前記回動中心軸に直交する線分に近い位置を優先的に前記液滴の付与位置とすることが好ましい。
これにより、前記可動板の平面視にて、前記可動板の重心を前記回動中心軸上のほぼ中央に保つことができる。その結果、極めて優れた回動特性を備える前記振動系を提供することができる。
【００１６】
本発明の共振周波数調整方法では、前記第２の工程では、前記複数の液体のうち比重が重いものを優先的に付与するように構成されていることが好ましい。
これにより、前記振動系の共振周波数を調整するために必要な液滴数を少なくすることができ、極めて効率的に前記振動系の共振周波数を調整することができる。
本発明の共振周波数調整方法では、前記液滴の付与位置に付与することのできる液滴数には、上限値が定められていることが好ましい。
このように、各付与部位における液滴数の上限値を定めることで、液滴の垂れ、にじみ等を防止することができ、極めて正確に振動系の共振周波数を調整することができる。
【発明を実施するための最良の形態】
【００１７】
以下、本発明の共振周波数調整装置および共振周波数調整方法の好適な実施形態について、添付図面を参照しつつ説明する。
＜第１実施形態＞
まず、本発明の共振周波数調整装置の第１実施形態を説明する。
図１は、本発明の共振周波数調整装置の第１実施形態を示す斜視図、図２は、図１に示す共振周波数調整装置で共振周波数の調整が行われるアクチュエータを示す部分断面斜視図、図３は、図２に示すアクチュエータに印加する交流電圧の一例を示す図、図４は、図１に示す共振周波数調整装置が備える測定装置を示すブロック図、図５は、図１に示す共振周波数調整装置が備える液滴付与装置を示す図、図６は、アクチュエータが備える可動板の上面図、図７は、図１に示す共振周波数調整装置の作動を示すフローチャート、図８は、図７に示すＳ２のサブルーチンを示すフローチャートである。
なお、以下では、説明の便宜上、図１に示すような互いに直交する軸をそれぞれ「Ｘ軸」、「Ｙ軸」、「Ｚ軸」とし、さらに、Ｘ軸に平行な方向を「Ｘ軸方向」、Ｙ軸に平行な方向を「Ｙ軸方向」、Ｚ軸に平行な方向を「Ｚ軸方向」とする。
【００１８】
図１に示すように、共振周波数調整装置１は、アクチュエータ６を固定（保持）するステージ５と、ステージ５を移動させる移動装置７と、アクチュエータ６が備える後述する振動系６０の共振周波数を測定する測定装置（測定手段）２と、アクチュエータ６が備える可動板６１１の板面上に複数の液体の液滴を付与することのできる液滴付与装置（液滴付与手段）４と、測定装置２の測定結果に基づいて、液滴付与装置４の作動を制御する制御部（制御手段）３とを備えている。
【００１９】
まず、共振周波数調整装置１によって共振周波数の調整が行われるアクチュエータ６について簡単に説明する。なお、以下、説明の便宜上、図２中の紙面手前側を「上」、紙面奥側を「下」と言う。
図２に示すように、アクチュエータ６は、振動系６０を備える基体６１と、接合層６３を介して基体６１を支持する支持基板６２と、支持基板６２の下面に接合している対向基板６４と、対向基板６４の上面に設けられた１対の固定電極６５１、６５２とを備えている。
【００２０】
基体６１は、可動板６１１と、可動板６１１を支持するための支持部６１２と、可動板６１１と支持部６１２とを連結する１対の連結部６１３、６１４とを備えている。
可動板６１１の上面には、光反射性を有する光反射部６１１ａが設けられている。これにより、アクチュエータ６を加速度センサ、角速度センサなどのＭＥＭＳ応用センサや、光スキャナ、光スイッチ、光アッテネータなどの光学デバイスに用いることができる。
このような可動板６１１は、１対の連結部６１３、６１４を介して支持部６１２に支持されている。
【００２１】
１対の連結部６１３、６１４は、それぞれ長手形状をなしており弾性変形可能である。連結部６１３、６１４のそれぞれは、可動板６１１を支持部６１２に対して回動可能とするように、可動板６１１と支持部６１２とを連結している。このような１対の連結部６１３、６１４は、互いに同軸的に設けられており、この軸を回動中心軸Ｘ１として、可動板６１１が支持部６１２に対して回動するように構成されている。
このような１対の連結部６１３、６１４を介して可動板６１１を支持する支持部６１２は、枠状をなし、可動板６１１の平面視にて、可動板６１１の外周を囲むように設けられている。
【００２２】
以上のような基体６１は、例えば、シリコンを主材料として構成されていて、可動板６１１と、支持部６１２と、１対の連結部６１３、６１４とが一体的に形成されている。
以上のような基体６１は、接合層６３を介して支持基板６２と接合している。
このような支持基板６２は、例えば、ガラスやシリコンを主材料として構成されている。支持基板６２は、枠状をなし、可動板６１１の平面視にて、支持部６１２とほぼ同一形状をなしている。
【００２３】
支持基板６２と基体６１との間に形成された接合層６３は、例えば、ガラス、シリコン、またはＳｉＯ２を主材料として構成されている。
支持基板６２の下面には、対向基板６４が接合されている。このような対向基板６４は、板状をなしており、その上面に可動板６１１を回動駆動させるための１対の固定電極６５１、６５２が設けられている。
１対の固定電極６５１、６５２は、可動板６１１の平面視にて、可動板６１１に対応するように対向基板６４の上面に設けられている。また、１対の固定電極６５１、６５２は、可動板６１１の平面視にて、回動中心軸Ｘ１を介して互いに離間するように、かつ、回動中心軸Ｘ１に対して対称となるように設けられている。
【００２４】
このようなアクチュエータ６は、以下の様に駆動する。
まず、基体６１をアースする。そして、例えば、図３（ａ）に示すような電圧を固定電極６５１に印加するとともに、図３（ｂ）に示すような電圧を固定電極６５２に印加する。すなわち、固定電極６５１にのみ電圧を印加している状態と、固定電極６５２にのみ電圧を交互に印加している状態とを交互に繰り返す。これにより、可動板６１１と固定電極６５１との間に静電引力（クーロン力）が発生している状態と、可動板６１１と固定電極６５２との間に静電引力が発生している状態とを交互に繰り返すことができる。その結果、１対の連結部６１３、６１４のそれぞれを捩り変形させて可動板６１１を回動中心軸Ｘ１まわりに回動させることができる。このことから、可動板６１１と１対の連結部６１３、６１４とで振動系６０を構成していると言える。
ここで、１対の固定電極６５１、６５２のそれぞれに印加する電圧の周波数を振動系６０の共振周波数と一致させることで、可動板６１１を大きく回動させることができる。
【００２５】
以上、アクチュエータ６について説明した。以下、このようなアクチュエータ６が備える振動系６０の共振周波数を調整するための共振周波数調整装置１について詳述する。共振周波数調整装置１は、前述したように、アクチュエータ６を固定するステージ５と、ステージ５を移動させる移動装置７と、振動系６０の共振周波数を測定する測定装置２と、可動板６１１の板面上に複数の液体の液滴を付与することのできる液滴付与装置４と、測定装置２の測定結果に基づいて、液滴付与装置４の作動を制御する制御部３とを備えている。
このような共振周波数調整装置１は、液滴付与装置４を作動させて、可動板６１１の板面上に液滴を付与した後、それを固化または硬化（以下、単に「固化」という）させて、可動板６１１の回動中心軸Ｘ１まわりの慣性モーメントを増加させ、振動系６０の共振周波数を調整するように構成されている。
【００２６】
移動装置７は、ステージ５を図１中のＸ軸方向へ移動させるための装置である。図１に示すように、移動装置７は、制御部３と接続されており、制御部３によりその作動が制御されている。
このような移動装置７の進行方向の途中には、振動系６０の共振周波数を測定する測定装置２と、可動板６１１に液滴を付与するための液滴付与装置４とが設けられている。すなわち、共振周波数調整装置１は、アクチュエータ６をステージ５上に固定した状態で移動装置７を作動させ、測定装置２で振動系６０の共振周波数を測定し、液滴付与装置４で可動板６１１の板面上に複数の液種の液滴を付与するように構成されている。これにより、極めて効率的に振動系６０の共振周波数を変更、調整することができる。
移動装置７上には、ステージ５が設けられている。このようなステージ５は、図１に示すように、移動装置７に固定された基台５１と、基台５１に対して回転可能な回転盤５２とを備えている。
【００２７】
回転盤５２は、基台５１の上面に対向するように設けられている。そして、回転盤５２は、基台５１に対してＺ軸まわりに回転可能である。このような回転盤５２は、制御手段３と接続されており、制御手段３によりその作動（回転運動）が制御されている。また、回転盤５２の上面は、Ｘ−Ｙ平面と平行な面をなしており、この面上にアクチュエータ６を固定する。なお、アクチュエータ６を固定する際には、アクチュエータ６を回動駆動可能な状態としておく。
【００２８】
測定装置２は、ステージ５上に固定されたアクチュエータ６の振動系６０の共振周波数を測定する。このような測定装置２は、図４に示すように、アクチュエータ６の可動板６１１の振幅（すなわち、回転角度（振れ角））を測定するレーザードップラーベロシティ（以下、単に「ＬＤＶ」という）２１と、アクチュエータ６の固定電極６５１、６５２に印加する交流電圧の周波数を変更（設定）するＦＦＴアナライザー２２とを備えている。
【００２９】
振動系６０の共振周波数の測定方法としては、まず、ＦＦＴアナライザー２２により、固定電極６５１、６５２に印加する交流電圧の周波数を所定値（例えば、１Ｈｚ）に設定し、その交流電圧を固定電極６５１、６５２に印加してアクチュエータ６を駆動する。そして、ＬＤＶ２１により、可動板６１１（光反射部６１１ａ）にレーザー光を照射し、その反射光を受光して、可動板６１１の回転角度を測定する。この場合、実際は、ＬＤＶ２１により、可動板６１１の振幅が測定される。
【００３０】
次に、ＦＦＴアナライザー２２により、固定電極６５１、６５２に印加する交流電圧の周波数を所定数高い値に変更し、その周波数にてアクチュエータ６を駆動させて、ＬＤＶ２１により、可動板６１１の回転角度を測定する。
そして、固定電極６５１、６５２に印加する交流電圧の周波数が所定値（例えば、３２ＫＨｚ）になるまで、可動板６１１の回転角度の測定を繰り返し行う。この測定結果から、振動系６０の共振周波数が求まる。
【００３１】
測定装置２にて求められた振動系６０の共振周波数のデータは、制御部３に送られる。そして、制御部３は、振動系６０の共振周波数が目的の共振周波数と一致するように、可動板６１１の板面上の液滴の付与位置、その付与位置に付与する液種および液滴数の組み合わせを求める。そして、制御部３は、求められた条件（組み合わせ）で液滴の付与を実行するように液滴付与装置４の作動を制御する。
【００３２】
液滴付与装置４は、制御部３と接続されており、制御部３によりその作動が制御されている。このような液滴付与装置４は、図５に示すように、互いに異なる液体を保持する複数のタンク４１１、４１２、４１３と、チューブ４２１〜４２３を介してタンク４１１〜４１３から液体が供給され、その液体の液滴を吐出する液滴吐出部４３と、液滴吐出部４３の位置を制御する位置制御装置４４とを備えている。
【００３３】
このような液滴吐出装置４は、アクチュエータ６の可動板の上面（光反射部６１１ａが設けられている面）上に液滴を吐出するように構成されている。可動板６１１の上面は、外部に露出している。そのため、可動板６１１の上面に液滴を付与するように構成することで、液滴付与装置４は、極めて簡単に可動板６１１の板面上に液滴を付与することができる。
【００３４】
タンク４１１〜４１３に保持された複数種の液体のそれぞれは、互いに異なる樹脂材料を含んでいる。そして、このような複数種の液体は、可動板６１１上で固化したときの比重が互いに異なっている。このように、各液体が樹脂材料を含んでいることで、可動板６１１と各液体の液滴との接着性を優れたものとすることができる。各液体に含まれている樹脂材料としては、可動板６１１の板面上に固着することができれば、特に限定されず、各種熱硬化性樹脂、各種熱可塑性樹脂を好適に用いることができる。また各液体は、ノズルから吐出可能な粘度を有している。
【００３５】
液滴吐出部４３は、各液体の液滴をＺ軸方向へ吐出するように設けられた図示しないノズルを備えている。このノズルから吐出される液滴の吐出量は、可動板６１１の慣性モーメントの微調整が十分に可能な程度の量であれば特に限定されない。例えば、各液体の比重によっても異なるが、前記ノズルからの液滴の吐出量は、０．１ｐｌ〜５０ｐｌ程度であることが好ましく、１ｐｌ〜１０ｐｌであることがさらに好ましい。これにより、極めて正確に、可動板６１１の慣性モーメントを変更、調整することができる。本実施形態では、前記ノズルから吐出される液滴の吐出量は、一定に保たれている。
【００３６】
前記ノズルから各液体の液滴を吐出する方法としては、特に限定されない。例えば、圧電素子や静電アクチュエータなどの駆動素子を駆動（振動）させることで各液体の液滴を前記ノズルから吐出する構成であってもよい。また、駆動素子として電気熱変換素子を用い、この電気熱変換素子による材料の熱膨張を利用して各液体の液滴を前記ノズルから吐出する構成であってもよい。
【００３７】
また、前記ノズルの数は、特に限定されない。例えば、液種の異なる液滴ごとに吐出するノズルを分けてもよいし、液種の異なる液滴同士を同じノズルから吐出してもよい。また、同種の液滴を吐出するノズルの数は、１つであってもよいし、２以上の複数であってもよい。同種の液滴を吐出するノズルが複数設けられている場合には、制御部３により、複数のノズルから吐出動作を行うノズルと吐出動作を行わないノズルとが設定（選択）されるように構成されていてもよい。
位置制御装置４４は、制御部３からの信号に応じて、液滴吐出部４３をＹ軸方向、およびＺ軸方向に沿って移動させる。さらに、位置制御装置４４は、制御部３からの信号に応じてＺ軸まわりにも液滴吐出部４３を回転させる。
【００３８】
一方、アクチュエータ６が固定されているステージ５は、前述したように、移動装置７によってＸ軸方向に移動可能となっているとともに、回転盤５２がＺ軸まわりに回転可能となっている。したがって、このような液滴付与装置４とステージ５とを用いることで、前記ノズルと可動板６１１との相対的位置関係を自在に変更することができ、極めて正確に液滴を可動板６１１上の付与位置に付与することができる。
【００３９】
可動板６１１上に付与された液滴は、図示しない固化手段によって、固化される。このような固化手段としては、可動板６１１に付与された液滴を固化することができれば特に限定されない。例えば、可動板６１１を減圧下および／または高温化に置くことで液滴を固化させてもよい。また、各液体に含まれる樹脂材料が紫外線硬化性樹脂材料である場合には、可動板６１１に付与された液滴に紫外線を照射するように構成されていてもよい。
以上、共振周波数調整装置１の構成について説明した。
【００４０】
次に、振動系６０の共振周波数の調整方法（すなわち、共振周波数調整装置１の作動）について図７および図８に基づいて説明する。なお、以下、説明の便宜上、アクチュエータ６をステージ５に固定する時のステージ５の位置を「第１の位置」とし、測定装置２によって振動系６０の共振周波数を測定する時のステージ５の位置を「第２の位置」とし、液滴付与装置４によって可動板６１１上に液滴を付与する時のステージ５の位置を「第３の位置」とする。また、振動系６０の目的の共振周波数を「ｆ０」とする。
【００４１】
このような共振周波数調整方法は、図７に示すように、振動系６０の共振周波数を測定する工程（Ｓ１）と、Ｓ１の測定結果に基づいて、可動板６１１の板面上における各液体の液滴の付与位置と、その付与位置に付与する液種および液滴数との組み合わせを求める工程（Ｓ２）と、Ｓ２で求められた組み合わせに基づいて可動板６１１の板面上に液滴を付与した後、それを硬化または固化させる工程（Ｓ３）とを含んでいる。
【００４２】
まず、移動装置７を作動し、ステージ５を第１の位置に移動する。そして、ステージ５の回転盤５２上にアクチュエータ６を固定するとともに、アクチュエータ６を回動駆動可能な状態とする。なお、アクチュエータ６は、振動系６０の共振周波数が目的の共振周波数ｆ０に対して若干高くなるように予め製造（設計）されている。
そして、移動装置７を作動し、ステージ５を第２の位置に移動する。そして、測定装置２により振動系６０の共振周波数（以下、この共振周波数を「ｆ１」とする）を測定する。測定方法としては、前述した通りであるため、その説明を省略する。測定装置２により測定された振動系６０の共振周波数ｆ１のデータは、制御部３に送られ蓄積させる。
【００４３】
次に、移動装置７を作動し、ステージ５を第３の位置に移動する。そして、液滴吐出装置４により、可動板６１１の板面上の予め定められた位置に、予め定められた重量の液滴を付与し、この液滴を固化する（Ｓ２０１）。この液滴の液種としては、特に限定されず、タンク４１１〜４１３に保持された複数種（３種）の液体のうちのいずれか１つを用いてもよいし、これらとは異なる液体を用いてもよい。なお、以下、説明の便宜上、この工程にて固化した液滴を「質量片」という場合もある。
【００４４】
このように、可動板６１１の板面上の予め定められた位置に、予め定められた重量の質量片を形成することで、この質量片の回動中心軸Ｘ１まわりの慣性モーメント（以下、この慣性モーメントを「ＩＳ」とする）を算出することができる。具体的には、質量片と回動中心軸Ｘ１との離間距離をＲ（ｍ）とし、質量片の重量をＭ（ｋｇ）としたとき、慣性モーメントＩＳは、以下に示す式（１）で求められる。
ＩＳ＝Ｍ×Ｒ２（ｋｇ・ｍ２）‥‥‥（１）
【００４５】
次に、移動装置７を作動し、ステージ５を再び第２の位置に移動する。そして、測定装置２により、可動板６１１に質量片が形成された状態の振動系６０の共振周波数（以下、この共振周波数を「ｆ２」という）を測定する（Ｓ２０２）。測定された共振周波数ｆ２のデータは制御部３に送られ蓄積される。
この時点で制御部３には、共振周波数ｆ０、共振周波数ｆ１および共振周波数ｆ２のそれぞれのデータが蓄積されていることとなる。そして、制御部３は、この３つの共振周波数ｆ０、ｆ１、ｆ２のデータから共振周波数ｆ１と共振周波数ｆ２とを用いて、振動系６０を構成する可動板６１１の慣性モーメント（以下、この慣性モーメントを「Ｉ」とする）と、１対の連結部６１３、６１４の捩れバネ定数（以下、このバネ定数を「Ｋ」とする）とを求める（Ｓ２０３）。具体的には、以下に示す式（２）に共振周波数ｆ１の値を代入し、同様に、以下に示す式（３）に共振周波数ｆ２の値および慣性モーメントＩＳの値をそれぞれ代入する。その結果、慣性モーメントＩとバネ定数Ｋとを求めることができる。
ｆ１＝１／２π√（ｋ／Ｉ）‥‥‥（２）
ｆ２＝１／２π√｛ｋ／（Ｉ＋ＩＳ）｝‥‥‥（３）
【００４６】
このようにして、慣性モーメントＩとバネ定数Ｋとを求めた後、共振周波数ｆ２を共振周波数ｆ０に一致させるために必要な可動板６１１の慣性モーメントＩの増加量ΔＩを算出する（Ｓ２０４）。具体的には、以下に示す式（４）に、共振周波数ｆ０の値と、バネ定数Ｋの値と、慣性モーメントＩＳの値とを代入することでΔＩを算出する。
ｆ０＝１／２π√｛ｋ／（Ｉ＋ＩＳ＋ΔＩ）｝‥‥‥（４）
【００４７】
次に、制御手段３は、算出されたΔＩに基づいて、可動板６１１の板面上における液滴の付与位置と、その付与位置に付与する液種および液滴数（すなわち、液滴の重量）との組み合わせを求める。以下、付与位置、その付与位置に付与する液種および液滴数の組み合わせの求め方について説明する。ただし、後述する慣性モーメントの増加量ΔＩＡ、ΔＩＢ、ΔＩＣの合計は、ΔＩよりも大きいか等しいものとする（すなわち、ΔＩ≦ΔＩＡ＋ΔＩＢ＋ΔＩＣの関係を満たす）。
【００４８】
図６に示すように、可動板６１１の板面（上面）上には、互いに異なる位置に設けられた複数の液滴付与可能位置Ｐ１〜Ｐ３０が定められている。このような液滴付与可能位置Ｐ１〜Ｐ３０は、光反射部６１１ａ上には定められていない。また、本実施形態では、液滴付与可能位置は合計３０ヶ所定められている。
このような液滴付与可能位置Ｐ１〜Ｐ３０は、回動中心軸Ｘ１に平行な複数の線分Ｌ１〜Ｌ６と、可動板６１１の平面視にて回動中心軸Ｘ１に直交する複数の線分Ｌ７〜Ｌ１１との交点上に位置している。
【００４９】
線分Ｌ１〜Ｌ６において、線分Ｌ１と線分Ｌ２、線分Ｌ３と線分Ｌ４、線分Ｌ５と線分Ｌ６のそれぞれは、回動中心軸Ｘ１に対して対称である。
線分Ｌ７は、可動板６１１の平面視にて、可動板６１１の重心を通り、回動中心軸Ｘ１に直交する線分である。そして、線分Ｌ８と線分Ｌ９、および、線分Ｌ１０と線分Ｌ１１のそれぞれは、線分Ｌ７に対して対称である。
【００５０】
液滴付与可能位置Ｐ１〜Ｐ３０のそれぞれには、付与することのできる液滴数の上限値（例えば、１０滴）が定められている。このような上限値は、液滴付与可能位置Ｐ１〜Ｐ３０について、互いに等しく設定されている。このように、各液滴付与可能位置Ｐ１〜Ｐ３０における液滴数の上限値を定めることで、液滴の垂れ、にじみ等を防止することができ、極めて正確に振動系の共振周波数を調整することができる。ただし、液滴付与可能位置Ｐ１〜Ｐ３０について、それぞれ異なる上限値が定められていてもよい。
【００５１】
制御部３は、（１）各液滴付与可能位置Ｐ１〜Ｐ３０の回動中心軸Ｘ１からの距離（ｍ）、（２）各液滴付与可能位置Ｐ１〜Ｐ３０に付与することのできる液滴数の上限値、（３）各液体の液滴が可動板６１１上で固化したときのそれぞれの比重、に関するデータ（情報）を有している。そのため、制御部３は、液滴付与可能位置Ｐ１〜Ｐ３０のうちの、どの液滴付与可能位置に、どの液種の液滴をどれだけの滴数付与すれば、それによる可動板６１１の慣性モーメントの増加量がΔＩと等しくなるかを求めることができる。なお、以下、説明の便宜上、３種類の液滴のそれぞれの液滴について、可動板６１１上で固化したときの比重が最も重い液滴から順に、液滴Ａ、液滴Ｂ、液滴Ｃとする。
【００５２】
具体的には、まず、制御部３は、線分Ｌ１の液滴付与可能位置Ｐ１〜Ｐ５および線分Ｌ２上の液滴付与可能位置Ｐ６〜Ｐ１０のそれぞれに、前記上限値と等しい滴数の液滴Ａ（すなわち、個化したときの比重が最も重い液滴）を付与した場合の可動板６１１の回動中心軸Ｘ１まわりの慣性モーメントの増加量（以下、この増加量を「ΔＩＡ」とする）と、ΔＩとを比較する（Ｓ２０５）。
【００５３】
ΔＩがΔＩＡよりも小さい場合には、制御部３は、液滴付与可能位置Ｐ１〜Ｐ１０上に付与すべき液滴Ａ、液滴Ｂ、液滴Ｃのそれぞれの液滴数を求める。すなわち、液滴付与可能位置Ｐ１〜Ｐ１０上に、液滴Ａ、液滴Ｂ、液滴Ｃをそれぞれ何滴ずつ付与すれば、それにより増加する可動板６１１の慣性モーメントがΔＩと等しくなるかを求める。そして、求められた液滴Ａ、液滴Ｂ、液滴Ｃのそれぞれの液滴数に基づいて、液滴付与可能位置Ｐ１〜Ｐ１０から液滴Ａ、液滴Ｂ、液滴Ｃのそれぞれの付与位置および液滴数を決定する（Ｓ２０６）。
【００５４】
一方、ΔＩがΔＩＡよりも大きい場合には、制御部３は、液滴付与可能位置Ｐ１〜Ｐ１０のすべてを液滴Ａの付与位置として選択するとともに、選択したすべての付与位置における液滴数を前記上限値とする（Ｓ２０７）。
そして、線分Ｌ３上の液滴付与可能位置Ｐ１１〜Ｐ１５および線分Ｌ４上の液滴付与可能位置Ｐ１６〜Ｐ２０のそれぞれに、前記上限値と等しい滴数の液滴Ａを付与した場合の可動板６１１の回動中心軸Ｘ１まわりの慣性モーメントの増加量（以下、この増加量を「ΔＩＢ」とする）と（ΔＩ−ΔＩＡ）とを比較する（Ｓ２０８）。
【００５５】
そして、（ΔＩ−ΔＩＡ）がΔＩＢよりも小さい場合には、制御部３は、液滴付与可能位置Ｐ１１〜Ｐ２０上に付与すべき液滴Ａ、液滴Ｂ、液滴Ｃのそれぞれの液滴数を求める。すなわち、液滴付与可能位置Ｐ１１〜Ｐ２０上に、液滴Ａ、液滴Ｂ、液滴Ｃをそれぞれ何滴ずつ付与すれば、それにより増加する可動板６１１の慣性モーメントが（ΔＩ−ΔＩＡ）と等しくなるかを求める。そして、求められた液滴Ａ、液滴Ｂ、液滴Ｃのそれぞれの液滴数に基づいて、液滴付与可能位置Ｐ１１〜Ｐ２０から液滴Ａ、液滴Ｂ、液滴Ｃのそれぞれの付与位置を選択するとともに、選択された付与位置における液滴数を決定する（Ｓ２０９）。液滴付与可能位置Ｐ１１〜Ｐ２０から、液滴Ａ〜Ｃのそれぞれの付与位置およびその付与位置における液滴数を決定する方法については、液滴付与可能位置Ｐ１〜Ｐ１０から、液滴Ａ〜Ｃのそれぞれの付与位置およびその付与位置における液滴数を決定する手段と同様であるため、その説明を省略する。
【００５６】
一方、（ΔＩ−ΔＩＡ）がΔＩＢよりも大きい場合には、制御部３は、液滴付与可能位置Ｐ１１〜Ｐ２０のすべてを液滴Ａの付与位置として選択するとともに、選択したすべての付与位置の液滴数を前記上限値とする（Ｓ２１０）。
ここで、線分Ｌ５上の液滴付与可能位置Ｐ２１〜Ｐ２５および線分Ｌ６の液滴付与可能位置Ｐ２６〜Ｐ３０のそれぞれに、前記上限値と等しい滴数の液滴Ａを付与した場合の可動板６１１の慣性モーメントの増加量（以下、この増加量を「ΔＩＣ」とする）は、｛ΔＩ−（ΔＩＡ＋ΔＩＢ）｝よりも大きい。
【００５７】
したがって、制御部３は、液滴付与可能位置Ｐ２１〜Ｐ３０上に付与すべき液滴Ａ、液滴Ｂ、液滴Ｃのそれぞれの液滴数を求める。すなわち、液滴付与可能位置Ｐ２１〜Ｐ３０上に、液滴Ａ、液滴Ｂ、液滴Ｃをそれぞれ何滴ずつ付与すれば、それにより増加する可動板６１１の慣性モーメントが｛ΔＩ−（ΔＩＡ＋ΔＩＢ）｝と等しくなるかを求める。そして、求められた液滴Ａ、液滴Ｂ、液滴Ｃのそれぞれの液滴数に基づいて、液滴付与可能位置Ｐ２１〜Ｐ３０から液滴Ａ、液滴Ｂ、液滴Ｃのそれぞれの付与位置を選択するとともに、選択された付与位置における液滴数を決定する（Ｓ２１１）。液滴付与可能位置Ｐ２１〜Ｐ３０から、液滴Ａ〜Ｃのそれぞれの付与位置およびその付与位置における液滴数を決定する方法については、液滴付与可能位置Ｐ１〜Ｐ１０から、液滴Ａ〜Ｃのそれぞれの付与位置およびその付与位置における液滴数を決定する手段と同様であるため、その説明を省略する。
【００５８】
ここから、前述したＳ２０６（液滴付与可能位置Ｐ１〜Ｐ１０から液滴Ａ、液滴Ｂ、液滴Ｃのそれぞれの付与位置および液滴数を決定する工程）について詳述する。なお、Ｓ２０６と、Ｓ２０９と、Ｓ２１１とは、互いに同様であるため、Ｓ２０６について代表して説明し、Ｓ２０９およびＳ２１１については、その説明を省略する。また、以下、説明の便宜上、液滴付与可能位置Ｐ１〜Ｐ１０と回動中心軸Ｘ１との離間距離をＸ（ｍ）とし、液滴Ａ、液滴Ｂ、液滴Ｃの吐出量をそれぞれｍＡ、ｍＢ、ｍＣ（ｐｌ）とし、液滴Ａ、液滴Ｂ、液滴Ｃの可動板６１１上で固化したときの比重をそれぞれρＡ、ρＢ、ρＣ（ｇ／ｃｍ３）とする。ただし、本実施形態では、前述したように、ｍＡ＝ｍＢ＝ｍＣの関係を満たしている。また、後述する、ｎＡ、ｎＢ、ｎＣのそれぞれは、０以上の整数である。
【００５９】
制御部３は、まず、液滴ＡをｎＡ滴付与した場合の、可動板６１１の回動中心軸Ｘ１まわりの慣性モーメントの増加量がΔＩと等しくなるかを求める。すなわち、以下に示す式（５）を満たすか否かを判断する。
（ｍＡρＡｎＡ）Ｘ２＝ΔＩ‥‥‥（５）
式（５）の関係を満たす場合には、液滴Ａの液滴数をｎＡとし、液滴Ｂ、Ｃの液滴数をそれぞれ０とする。
【００６０】
一方、式（５）の関係を満たさない場合には、以下に示す式（６）を満たすｎＡの値のうち最も大きい値（この値を「ｎＡＭＡＸ」とする）を液滴Ａの液滴数とする。ここで、当然であるが、ｎＡＭＡＸ＝０となる場合もあり得る。
（ｍＡρＡｎＡ）Ｘ２＜ΔＩ‥‥‥（６）
そして、制御部３は、液滴ＡをｎＡＭＡＸ滴、液滴ＢをｎＢ滴付与した場合の、可動板６１１の回動中心軸Ｘ１まわりの慣性モーメントの増加量がΔＩと等しくなるかを求める。すなわち、以下に示す式（７）を満たすか否かを判断する。
（ｍＡρＡｎＡＭＡＸ）Ｘ２＋（ｍＢρＢｎＢ）Ｘ２＝ΔＩ‥‥‥（７）
式（７）の関係を満たす場合には、液滴Ａの液滴数をｎＡＭＡＸとし、液滴Ｂの液滴数をｎＢとし、液滴Ｃの液滴数を０とする。
【００６１】
一方、式（７）の関係を満たさない場合には、以下に示す式（８）を満たすｎＢの値のうち最も大きい値（この値を「ｎＢＭＡＸ」とする）を液滴Ｂの液滴数とする。
（ｍＡρＡｎＡＭＡＸ）Ｘ２＋（ｍＢρＢｎＢ）Ｘ２＜ΔＩ‥‥‥（８）
そして、制御部３は、液滴ＡをｎＡＭＡＸ滴、液滴ＢをｎＢＭＡＸ滴、液滴ＣをｎＣ滴付与した場合の、可動板６１１の回動中心軸Ｘ１まわりの慣性モーメントの増加量がΔＩと等しくなるかを求める。すなわち、以下に示す式（９）を満たすか否かを判断する。
（ｍＡρＡｎＡＭＡＸ）Ｘ２＋（ｍＢρＢｎＢＭＡＸ）Ｘ２＋（ｍＣρＣｎＣ）Ｘ２＝ΔＩ‥‥‥（９）
式（９）の関係を満たす場合には、液滴Ａの液滴数をｎＡＭＡＸとし、液滴Ｂの液滴数をｎＢＭＡＸとし、液滴Ｃの液滴数をｎＣとする。
【００６２】
一方、式（９）の関係を満たさない場合には、以下に示す式（１０）を満たすｎＣの値のうち最も大きい値（この値を「ｎＣＭＡＸ」とする）を液滴Ｃの液滴数とする。すなわち、液滴Ａの液滴数をｎＡＭＡＸとし、液滴Ｂの液滴数をｎＢＭＡＸとし、液滴Ｃの液滴数をｎＣＭＡＸとする。
（ｍＡρＡｎＡＭＡＸ）Ｘ２＋（ｍＢρＢｎＢＭＡＸ）Ｘ２＋（ｍＣρＣｎＣ）Ｘ２＜ΔＩ‥‥‥（１０）
このようにして、液滴付与可能位置Ｐ１〜Ｐ１０上に付与すべき液滴Ａ、液滴Ｂ、液滴Ｃのそれぞれの液滴数を算出する。
【００６３】
以上の様に、制御部３は、３種の液体のうち、個化したときの比重が重いものを優先的に付与するように構成されている。これにより、振動系６０の共振周波数を調整するために必要な液滴数を少なくすることができ、極めて効率的に振動系６０の共振周波数を調整することができる。
そして、制御部３は、求められた各液滴Ａ〜Ｃの液滴数に基づいて、液滴付与可能位置Ｐ１〜Ｐ１０から液滴Ａの付与位置と、液滴Ｂの付与位置と、液滴Ｃの付与位置とを選択する。このとき、例えば、各液滴付与可能位置Ｐ１〜Ｐ１０には、液滴Ａ〜Ｃのうち１種の液滴のみを付与することとしてもよいし、液滴Ａ〜Ｃのうち２種以上の液滴を付与することとしてもよい。
【００６４】
また、制御部３は、回動中心軸Ｘ１に対してなるべく対称となるように、液滴付与可能位置Ｐ１〜Ｐ１０から液滴Ａ〜Ｃそれぞれの付与位置を選択する。これにより、可動板６１１の重心を回動中心軸Ｘ１上に保ちつつ、振動系６０の共振周波数を調整することができる。すなわち、極めて優れた回動特性を備えるアクチュエータ６を提供することができる。
【００６５】
また、制御部３は、線分Ｌ１上の液滴付与可能位置Ｐ１〜Ｐ５のうち、可動板６１１の重心を通り、かつ回動中心軸Ｘ１に直交する線分（すなわち、線分Ｌ７）に近い方から優先的に付与位置として選択する。すなわち、制御部３は、まず、液滴付与可能位置Ｐ１を付与位置として選択し、次に、Ｐ２またはＰ３の一方を付与位置として選択し、次に、Ｐ２またはＰ３の他方を付与位置として選択し、次に、Ｐ４またはＰ５の一方を付与位置として選択し、最後に、Ｐ４またはＰ５の他方を付与位置として選択する。
さらに、制御部３は、可動板６１１の重心を通り、かつ回動中心軸Ｘ１に直交する線分（すなわち、線分Ｌ７）に対してなるべく対称となるように、各液滴Ａ〜Ｃの付与位置および、その付与位置にける液滴数を決定する。
【００６６】
例えば、各液滴付与可能位置Ｐ１〜Ｐ５における液滴数の上限値が１０滴、ｎＡ＝８滴、ｎＢ、＝６滴、ｎＣ＝１３滴であった場合について説明する。この場合、例えば、制御部３は、まず、液滴Ａの付与位置として液滴付与可能位置Ｐ１を選択するとともに、液滴付与可能位置Ｐ１に液滴Ａを８滴付与することとする。次に、制御部３は、液滴Ｂの付与位置として液滴付与可能位置Ｐ２、Ｐ３を選択するとともに、液滴付与可能位置Ｐ２、Ｐ３のそれぞれに液滴Ｂを４滴付ずつ付与することとする。次に、制御部３は、液滴Ｃの付与位置として液滴付与可能位置Ｐ４、Ｐ５を選択するとともに、液滴付与可能位置Ｐ４に液滴Ｃを６滴、Ｐ５に液滴Ｃを７滴付与することとする。これにより、可動板６１１の平面視にて、可動板６１１の重心を回動中心軸Ｘ１上のほぼ中央に保つことができる。その結果、極めて優れた回動特性を備えるアクチュエータ６を提供することができる。液滴付与可能位置Ｐ６〜Ｐ１０についても液滴付与可能位置Ｐ１〜Ｐ５と同様であるため、その説明を省略する。
【００６７】
また、例えば、各液滴付与可能位置Ｐ１〜Ｐ５における液滴数の上限値が１０滴、ｎＡ＝１滴、ｎＢ、＝２滴、ｎＣ＝３滴であった場合には、制御部３は、液滴付与可能位置Ｐ１を液滴Ａ〜Ｃの付与位置として選択し、液滴付与可能位置Ｐ１上に、液滴Ａを１滴、液滴Ｂを２滴、液滴Ｃを３滴付与することとしてもよい。
このようにして、制御部３は、液滴の付与位置と、その付与位置における液種および液滴数との組み合わせを求める。
【００６８】
以上より、制御部３は、複数の液滴付与可能位置Ｐ１〜Ｐ３０のうち、回動中心軸Ｘ１に対して遠位に位置する液滴付与可能位置を優先的に液滴Ａ〜Ｃの付与位置として選択するように構成されている。これにより、振動系６０の共振周波数を調整するために必要な液適数を少なくすることができ、極めて効率的かつ経済的に振動系６０の共振周波数を調整することができる。
そして、決定された組み合わせに基づいて、液滴付与装置４を作動させ、可動板６１１の板面上に液滴を付与した後、それを前述した図示しない固化手段により固化させる（Ｓ３）。
共振周波数調整装置１は、以上の様にして、振動系６０の共振周波数を調整する。
【００６９】
このような共振周波数調整装置１（すなわち、共振周波数調整方法）を用いることで、極めて効率的にかつ正確に振動系６０の共振周波数を調整することができる。
また、各液滴付与可能位置Ｐ１〜Ｐ３０から選択された液滴の付与位置における液滴数に、上限値が定められていることで、液滴の垂れ、にじみ等を防止することができ、極めて正確に振動系６０の共振周波数を調整することができる。
【００７０】
また、本実施形態では、液滴付与可能位置が３０箇所定められているが、振動系６０の共振周波数ｆ１を目的の共振周波数ｆ０へ調整可能であれば、液滴付与可能位置の数は、特に限定されない。液滴付与可能位置の数としては、（１）各付与位置における液滴数の上限値、（２）液滴Ａ〜Ｃのそれぞれの比重、（３）予め予想されるアクチュエータの製造段階での共振周波数のずれ、などを勘案した上で、振動系６０の共振周波数のずれを十分に調整することができるような数とすることが好ましい。
【００７１】
また本実施形態では、比重の異なる３種の液体の液滴を用いて、振動系６０の共振周波数を調整するものについて説明したが、互いに比重の異なる複数の液体を用いて振動系６０の共振周波数を調整することができれば、これに限定されず、例えば、固化したときの比重が互いに異なる２種の液体を用いてもよいし、固化したときの比重が互いに異なる４種以上の液体を用いてもよい。
【００７２】
また、本実施形態では、制御部３が複数の液滴付与可能位置Ｐ１〜Ｐ３０のうち、回動中心軸Ｘ１に対して遠位に位置する液滴付与可能位置を優先的に液滴Ａ〜Ｃの付与位置として選択するものについて説明したが、これに限定されない。例えば、制御部３が、液滴Ａの付与位置を線分Ｌ１、Ｌ２上の液滴付与可能位置Ｐ１〜Ｐ１０から選択し、液滴Ｂの付与位置を線分Ｌ３、Ｌ４上の液滴付与可能位置Ｐ１１〜Ｐ２０から選択し、液滴Ｃの付与位置を線分Ｌ５、Ｌ６上の液滴付与可能位置Ｐ２１〜Ｐ３０から選択するように構成されていてもよい。このような選択方法の場合、液滴Ａ〜Ｃのうちの最も比重の大きい液滴Ａを回動中心軸Ｘ１から最も遠位に位置する液滴付与可能位置Ｐ１〜Ｐ１０上に付与することとなる。そのため、可動板６１１の慣性モーメントを大きく増加させることができる。さらに、液滴Ａ〜Ｃのうちの最も比重の小さい液滴Ｃを回動中心軸Ｘ１から最も近位に位置する液滴付与可能位置Ｐ２１〜Ｐ３０上に付与することとなる。そのため、可動板６１１の慣性モーメントを極めて微小に増加させることができる。すなわち、振動系６０の共振周波数を広範囲にわたって、かつ、極めて正確に調整することができる。
【００７３】
＜第２実施形態＞
次に、本発明の共振周波数調整装置の第２実施形態について説明する。
図９は、本発明の共振周波数調整装置の第２実施形態を示す斜視図、図１０は、図９に示す共振周波数調整装置によって共振周波数の調整が行われるアクチュエータが備える可動板の下面図である。なお説明の便宜上、図９中の紙面手前側を「上」、紙面奥側を「下」と言う。
【００７４】
以下、第２実施形態の共振周波数調整装置１Ａについて、前述した第１実施形態の共振周波数調整装置１との相違点を中心に説明し、同様の事項については、その説明を省略する。
本発明の第２実施形態にかかる共振周波数調整装置１Ａは、可動板６１１の下面（光反射部が設けられている面とは反対の面）に、液滴を付与するように構成されている以外は、第１実施形態の共振周波数調整装置１とほぼ同様である。また、前述した第１実施形態と同様の構成には、同一符号を付してある。
【００７５】
図９に示すように、共振周波数調整装置１Ａは、ステージ５Ａの構成が異なる以外は、第１実施形態の共振周波数調整装置１と同様の構成である。
ステージ５Ａは、移動手段５上に設けられた基台５１と、基台５１に対してＺ軸に回転可能な回転盤５２と、回転盤５２上に設けられた固定部材５３Ａとを有している。
固定部材５３Ａは、アクチュエータ６のうちの基体６１を支持するための部材である。ここで、基体６１を固定する際には、基体６１が備える可動板６１１の裏面（光反射部６１１ａとは反対側の面）が図９中の上側を向くように基体６１を固定する。このように基体６１を固定することで、可動板６１１の裏面に液滴を付与することができる。
また、固定部材５３Ａには、基体６１が備える振動系６０を駆動させるための図示しない駆動手段が設けられている。固定部材５３Ａに固定された基体６１には、振動系６０を駆動させるための固定電極などの駆動手段が設けられていないため、固定部材５３Ａに駆動手段を設けることで、ステージ５上にて振動系６０を駆動可能とする。
【００７６】
前述したように基体６１は、可動板６１１の裏面が上側を向くように固定部材５３Ａに個的されている。そのため、液滴付与装置４の作動によって、可動板６１１の裏面に液滴が付与されることとなる。液滴を可動板６１１の裏面上に付与する方法としては、第１実施形態と同様であるため、その説明を省略する。
可動板６１１の裏面には、光反射部６１１ａが設けられていない。そのため、図１０に示すように、この裏面には、全域にわたって液滴付与可能位置Ｐが定められている。したがって、振動系６０の共振周波数を広い範囲にて、かつ、正確に調整することができる。また、可動板６１１の光反射部６１１ａが設けられた面に液滴を付与する場合に比べて可動板６１１の小型化を図ることもできる。
このような第２実施形態によっても、第１実施形態と同様の効果を発揮することができる。
【００７７】
以上、本発明の共振周波数調整装置および共振周波数調整方法について、図示の実施形態に基づいて説明したが、本発明はこれに限定されるものではない。例えば、本発明の共振周波数調整装置では、各部の構成は、同様の機能を発揮する任意の構成のものに置換することができ、また、任意の構成を付加することもできる。
また、前述した実施形態では、各液滴付与可能位置に付与する液滴の量（質量）が、液滴数により制御されているものについて説明したが、これに限定されず、例えば、制御部によってノズルから吐出される液滴の吐出量を制御し、１回の吐出で所定量の液滴を付与するように構成されていてもよい。
【００７８】
また、前述した実施形態では、互いに平行な複数の線分と、その線分に直交する複数の線分との交点を液滴付与可能位置として決定していたが、液滴付与可能位置の決定方法としては、これに限定されない。例えば、可動板の上面に複数の液滴付与可能位置を無秩序に決定してもよい。また、予め可動板に複数の凹部などを形成しておき、制御部がその凹部を液滴付与可能位置として決定してもよい。
【図面の簡単な説明】
【００７９】
【図１】本発明の共振周波数調整装置の第１実施形態を示す斜視図である。
【図２】図１に示す共振周波数調整装置により共振周波数の調整が行われるアクチュエータを示す部分断面斜視図である。
【図３】図２に示すアクチュエータに印加する交流電圧の一例を示す図である。
【図４】図１に示す共振周波数調整装置が備える測定装置を説明するブロック図である。
【図５】図１に示す共振周波数調整装置が備える液滴付与装置を示す斜視図である。
【図６】アクチュエータが備える可動板の上面図である。
【図７】図１に示す共振周波数調整装置の作動を示すフローチャートである。
【図８】図７に示すＳ２のサブルーチンを示すフローチャートである。
【図９】本発明の共振周波数調整装置の第２実施形態を示す斜視図である。
【図１０】図９に示す共振周波数調整装置によって共振周波数の調整が行われるアクチュエータが備える可動板の下面図である。
【符号の説明】
【００８０】
１、１Ａ‥‥‥共振周波数調整装置  ２‥‥‥測定装置（測定手段）  ２１‥‥‥レーザードップラーベロシティ（ＬＤＶ）  ２２‥‥‥ＦＦＴアナライザー  ３‥‥‥制御部（制御手段）  ４‥‥‥液滴付与装置（液滴付与手段）  ４１１〜４１３‥‥‥タンク  ４２１〜４２３‥‥‥チューブ  ４３‥‥‥液滴吐出部  ４４‥‥‥位置制御装置  ５、５Ａ‥‥‥ステージ  ５１‥‥‥基台  ５２‥‥‥回転盤  ５３Ａ‥‥‥固定部材  ６‥‥‥アクチュエータ  ６０‥‥‥振動系  ６１‥‥‥基体  ６１１‥‥‥可動板  ６１１ａ‥‥‥光反射部  ６１２‥‥‥支持部  ６１３、６１４‥‥‥連結部  ６２‥‥‥支持基板  ６３‥‥‥接合層  ６４‥‥‥対向基板  ６５１、６５２‥‥‥固定電極  ７‥‥‥移動装置
【図１】
2008203567.tif 000003
【図２】
2008203567.tif 000004
【図３】
2008203567.tif 000005
【図４】
2008203567.tif 000006
【図５】
2008203567.tif 000007
【図６】
2008203567.tif 000008
【図７】
2008203567.tif 000009
【図８】
2008203567.tif 000010
【図９】
2008203567.tif 000011
【図１０】
2008203567.tif 000012